(57)【要約】【課題】  ユーザの視聴環境および好みに応じて音響環境を改善するための情報を呈示する情報処理装置を提供すること。【解決手段】  音響機器を特定するための情報の入力を受ける第１の入力手段（入力装置３０ｉ）と、音響機器が設置される部屋の音響特性を算出するための情報の入力を受ける第２の入力手段（入力装置３０ｉ）と、入力された情報をサーバ装置に送信する送信手段（Ｉ／Ｆ３０ｆ）と、を有するクライアント装置３０と、情報を受信する受信手段（Ｉ／Ｆ１０ｆ）と、音響環境に関する助言情報を記憶する記憶手段（ＨＤＤ１０ｄ）と、受信された情報に基づいて、記憶手段に記憶された助言情報を特定する特定手段（ＣＰＵ１０ａ）と、特定手段によって特定された音響環境に関する助言情報をクライアント装置に呈示する呈示手段（ＣＰＵ１０ａ）と、を有するサーバ装置と、を有している。【選択図】  図１
2005321661.tif 000002
【特許請求の範囲】
【請求項１】
音響機器を特定するための情報の入力を受ける第１の入力手段と、
上記音響機器が設置される部屋の音響特性を算出するための情報の入力を受ける第２の入力手段と、
上記第１および第２の入力手段を介して入力された情報をサーバ装置に送信する送信手段と、を有するクライアント装置と、
上記クライアント装置の送信手段によって送信された情報を受信する受信手段と、
音響環境に関する助言情報を記憶する記憶手段と、
上記受信手段を介して受信された情報に基づいて、上記記憶手段に記憶された上記助言情報を特定する特定手段と、
上記特定手段によって特定された音響環境に関する助言情報を上記クライアント装置に呈示する呈示手段と、を有するサーバ装置と、
を有することを特徴とする情報処理システム。
【請求項２】
前記第２の入力手段は、部屋の状態、スピーカの設置位置、および、視聴位置の入力を受けることを特徴とする請求項１記載の情報処理システム。
【請求項３】
前記第２の入力手段は、部屋の状態、スピーカの設置位置、および、視聴位置を示す複数の候補を呈示し、ユーザの環境に最も近いものを選択させることを特徴とする請求項１記載の情報処理システム。
【請求項４】
前記音響環境を改善するための情報は、スピーカの設置位置および視聴位置を示す情報であることを特徴とする請求項１記載の情報処理システム。
【請求項５】
前記音響環境を改善するための情報は、家具または防音材に関する情報であることを特徴とする請求項１記載の情報処理システム。
【請求項６】
前記サーバ装置は、前記家具または防音材を販売するインターネット上のサイトへアクセスするための情報を前記クライアント装置に供給する供給手段をさらに有することを特徴とする請求項５記載の情報処理システム。
【請求項７】
前記クライアント装置は、ユーザの音の嗜好に関する情報の入力を受ける第３の入力手段をさらに有し、
前記呈示手段は、上記第１〜第３の入力手段を介して入力された情報に基づいて、音響環境を改善するための助言情報を呈示することを特徴とする請求項１記載の情報処理システム。
【請求項８】
前記サーバ装置は、
前記第１および第２の入力手段を介して入力された情報に基づいて、前記部屋の音響特性を計算する計算手段を有し、
前記呈示手段は、上記計算手段によって計算された音響特性に基づいて、前記助言情報を呈示すること、
を特徴とする請求項１記載の情報処理システム。
【請求項９】
前記呈示手段は、前記計算手段による計算結果に基づいて改善すべき周波数帯域を特定し、特定された周波数帯域に関する助言情報を前記クライアント装置に呈示することを特徴とする請求項８記載の情報処理システム。
【請求項１０】
前記計算手段は、略２ｋＨｚ以下の帯域について前記音響特性を計算することを特徴とする請求項８記載の情報処理システム。
【請求項１１】
前記クライアント装置は、
前記音響機器に測定用の信号を出力する出力手段と、
上記出力手段によって出力され、前記音響機器によって出力された音声が、対応する電気信号に変換されて得られた信号を入力する入力手段と、を有し、
前記サーバ装置は、
上記入力手段から入力された信号を解析することにより音響特性を測定する測定手段を有する、
ことを特徴とする請求項１記載の情報処理システム。
【請求項１２】
クライアント装置から送信された、音響機器を特定するための情報と、上記音響機器が設置される部屋の音響特性を算出するための情報とを受信する受信手段と、
音響環境に関する助言情報を記憶する記憶手段と、
上記受信手段を介して受信された情報に基づいて、上記記憶手段に記憶された上記助言情報を特定する特定手段と、
上記特定手段によって特定された音響環境に関する助言情報を上記クライアント装置に呈示する呈示手段と、
を有することを特徴とする情報処理装置。
【請求項１３】
音響機器を特定するための情報の入力を受ける第１の入力手段と、
上記音響機器が設置される部屋の音響特性を算出するための情報の入力を受ける第２の入力手段と、
音響環境に関する助言情報を記憶する記憶手段と、
上記第１および第２の入力手段を介して入力された情報に基づいて、上記記憶手段に記憶された上記助言情報を特定する特定手段と、
上記特定手段によって特定された音響環境に関する助言情報を呈示する呈示手段と、
を有することを特徴とする情報処理装置。
【請求項１４】
音響機器を特定するための情報の入力を受け、
上記音響機器が設置される部屋の音響特性を算出するための情報の入力を受け、
上記情報に基づいて、音響環境に関する助言情報を特定し、
特定された音響環境に関する助言情報を呈示する、
ことを特徴とする情報処理方法。
【請求項１５】
音響機器を特定するための情報の入力を受ける第１の入力手段、
上記音響機器が設置される部屋の音響特性を算出するための情報の入力を受ける第２の入力手段、
音響環境に関する助言情報を記憶する記憶手段、
上記第１および第２の入力手段を介して入力された情報に基づいて、上記記憶手段に記憶された上記助言情報を特定する特定手段、
上記特定手段によって特定された音響環境に関する助言情報を呈示する呈示手段、
として機能させることを特徴とするコンピュータ読み取り可能な音響環境改善用プログラム。
【発明の詳細な説明】
【技術分野】
【０００１】
本発明は、情報処理システム、情報処理装置、情報処理方法、および音響環境用プログラムに関する。
【背景技術】
【０００２】
従来、インターネットを利用して、顧客の要望に応じたり、顧客の情報を得たりする技術（特許文献１〜３参照）が提案されている。
【０００３】
また、ユーザにスピーカの設置位置等に応じて、スピーカ特性の制御を行う技術（特許文献４，５）が提案されている。
【０００４】
さらに、マイクロフォンを用いて自動的に音場特性を補正するシステムも提案されている（特許文献６，７参照）。
【０００５】
【特許文献１】特開２００２−３１２５６６号公報（特許請求の範囲、要約書）
【特許文献２】特開２００３−２２３５８号公報（特許請求の範囲、要約書）
【特許文献３】特開２００３−２８１３９８号公報（特許請求の範囲、要約書）
【特許文献４】特開昭５８−１４１１００号公報（特許請求の範囲、要約書）
【特許文献５】特開平８−３４０６００号公報（特許請求の範囲、要約書）
【特許文献６】特開平６−２３３３９７号公報（特許請求の範囲、要約書）
【特許文献７】特開２００２−３３０５００号公報（特許請求の範囲、要約書）
【発明の開示】
【発明が解決しようとする課題】
【０００６】
ところで、前述したような技術では、映像および音声等を再生する視聴装置の配置を提案したり、音響特性の改善のための情報を呈示する技術は開示されていないため、ユーザは試行錯誤に基づいて視聴装置の配置を決定したり、音響特性を改善する必要があった。
【０００７】
また、個々のユーザの音の好み、良く聞く音楽のジャンル、音量の設定状況を考慮して、音響特性の改善策を呈示する技術は開示されていなかった。
【０００８】
本発明は、上記の事情に基づきなされたもので、その目的とするところは、個々のユーザの視聴環境および好みに応じて、音響環境を改善するための情報を呈示することが可能な情報処理システム、情報処理装置、情報処理方法、および、音響環境改善用プログラムを提供することを目的とする。
【課題を解決するための手段】
【０００９】
上述の目的を達成するため、本発明の情報処理システムは、音響機器を特定するための情報の入力を受ける第１の入力手段と、音響機器が設置される部屋の音響特性を算出するための情報の入力を受ける第２の入力手段と、第１および第２の入力手段を介して入力された情報をサーバ装置に送信する送信手段と、を有するクライアント装置と、クライアント装置の送信手段によって送信された情報を受信する受信手段と、音響環境に関する助言情報を記憶する記憶手段と、受信手段を介して受信された情報に基づいて、記憶手段に記憶された助言情報を特定する特定手段と、特定手段によって特定された音響環境に関する助言情報をクライアント装置に呈示する呈示手段と、を有するサーバ装置と、を有している。
【００１０】
また、他の発明の情報処理システムは、上述の発明に加え、第２の入力手段が、部屋の状態、スピーカの設置位置、および、視聴位置の入力を受けるようにしている。
【００１１】
また、他の発明の情報処理システムは、上述の発明に加え、第２の入力手段が、部屋の状態、スピーカの設置位置、および、視聴位置を示す複数の候補を呈示し、ユーザの環境に最も近いものを選択させるようにしている。
【００１２】
また、他の発明の情報処理システムは、上述の発明に加え、音響環境を改善するための情報が、スピーカの設置位置および視聴位置を示す情報としている。
【００１３】
また、他の発明の情報処理システムは、上述の発明に加え、音響環境を改善するための情報が、家具または防音材に関する情報としている。
【００１４】
また、他の発明の情報処理システムは、上述の各発明に加え、サーバ装置が、家具または防音材を販売するインターネット上のサイトへアクセスするための情報をクライアント装置に供給する供給手段をさらに有している。
【００１５】
また、他の発明の情報処理システムは、上述の発明に加え、クライアント装置が、ユーザの音の嗜好に関する情報の入力を受ける第３の入力手段をさらに有し、呈示手段が、第１〜第３の入力手段を介して入力された情報に基づいて、音響環境を改善するための助言情報を呈示するようにしている。
【００１６】
また、他の発明の情報処理システムは、上述の発明に加え、サーバ装置が、第１および第２の入力手段を介して入力された情報に基づいて、部屋の音響特性を計算する計算手段を有し、呈示手段が、計算手段によって計算された音響特性に基づいて、助言情報を呈示するようにしている。
【００１７】
また、他の発明の情報処理システムは、上述の各発明に加え、呈示手段が、計算手段による計算結果に基づいて改善すべき周波数帯域を特定し、特定された周波数帯域に関する助言情報をクライアント装置に呈示するようにしている。
【００１８】
また、他の発明の情報処理システムは、上述の各発明に加え、計算手段が、略２ｋＨｚ以下の帯域について音響特性を計算するようにしている。
【００１９】
また、他の発明の情報処理システムは、上述の各発明に加え、クライアント装置が、音響機器に測定用の信号を出力する出力手段と、出力手段によって出力され、音響機器によって出力された音声が、対応する電気信号に変換されて得られた信号を入力する入力手段と、を有し、サーバ装置が、入力手段から入力された信号を解析することにより音響特性を測定する測定手段を有している。
【００２０】
また、本発明の情報処理装置は、クライアント装置から送信された、音響機器を特定するための情報と、音響機器が設置される部屋の音響特性を算出するための情報とを受信する受信手段と、音響環境に関する助言情報を記憶する記憶手段と、受信手段を介して受信された情報に基づいて、記憶手段に記憶された助言情報を特定する特定手段と、特定手段によって特定された音響環境に関する助言情報をクライアント装置に呈示する呈示手段と、を有している。
【００２１】
また、本発明の情報処理装置は、音響機器を特定するための情報の入力を受ける第１の入力手段と、音響機器が設置される部屋の音響特性を算出するための情報の入力を受ける第２の入力手段と、音響環境に関する助言情報を記憶する記憶手段と、第１および第２の入力手段を介して入力された情報に基づいて、記憶手段に記憶された助言情報を特定する特定手段と、特定手段によって特定された音響環境に関する助言情報を呈示する呈示手段と、を有している。
【００２２】
また、本発明の情報処理方法は、音響機器を特定するための情報の入力を受け、音響機器が設置される部屋の音響特性を算出するための情報の入力を受け、情報に基づいて、音響環境に関する助言情報を特定し、特定された音響環境に関する助言情報を呈示する、ようにしている。
【００２３】
また、本発明の音響環境改善用プログラムは、音響機器を特定するための情報の入力を受ける第１の入力手段、音響機器が設置される部屋の音響特性を算出するための情報の入力を受ける第２の入力手段、音響環境に関する助言情報を記憶する記憶手段、第１および第２の入力手段を介して入力された情報に基づいて、記憶手段に記憶された助言情報を特定する特定手段、特定手段によって特定された音響環境に関する助言情報を呈示する呈示手段、として機能させるようにしている。
【発明の効果】
【００２４】
本発明は、個々のユーザの視聴環境および好みに応じて、音響環境を改善するための情報を呈示することが可能な情報処理システム、情報処理装置、情報処理方法、および、音響環境改善用プログラムを提供することができる。
【発明を実施するための最良の形態】
【００２５】
以下、本発明の一実施の形態について図面に基づいて説明する。
【００２６】
図１は、本発明の第１の実施の形態に係る情報処理システムの構成例を示すブロック図である。この図に示すように、本発明の第１の実施の形態に係る情報処理システムは、情報処理装置としてのサーバ装置１０およびサーバ装置１１，１２、インターネット２０、および、クライアント装置３０によって構成されている。
【００２７】
ここで、サーバ装置１０は、例えば、スピーカ、アンプ、ホームシアター機器等といった音響機器を含む視聴装置を製造・販売する業者が管理しており、当該業者が製造・販売する視聴装置を購入したユーザがアクセスした場合に、音響環境を改善するための情報を呈示する。
【００２８】
図２は、サーバ装置１０の詳細な構成例を示す図である。この図に示すように、サーバ装置１０は、ＣＰＵ（Central Processing Unit）１０ａ、ＲＯＭ（Read Only Memory）１０ｂ、ＲＡＭ（Random Access Memory）１０ｃ、ＨＤＤ（Hard Disk Drive）１０ｄ、ビデオ回路１０ｅ、Ｉ／Ｆ（Interface）１０ｆ、バス１０ｇ、表示装置１０ｈ、および、入力装置１０ｉを有している。
【００２９】
ここで、特定手段、呈示手段、供給手段、および、計算手段としてのＣＰＵ１０ａは、ＨＤＤ１０ｄに格納されているプログラムに応じて、各種演算処理を実行するとともに、装置の各部を制御する中央処理装置である。
【００３０】
ＲＯＭ１０ｂは、ＣＰＵ１０ａが実行するプログラムを格納した半導体記憶装置である。ＲＡＭ１０ｃは、ＣＰＵ１０ａが実行するプログラムまたは処理の対象となるデータを一時的に記憶する半導体記憶装置である。
【００３１】
記憶手段としてのＨＤＤ１０ｄは、ＣＰＵ１０ａが実行するプログラムおよび各種データを格納している。具体的には、ＧＵＩ（Graphical User Interface）画像データ１０ｄ１、シミュレーションプログラム１０ｄ２、助言情報１０ｄ３、および、ｗｅｂ情報１０ｄ４を有している。ここで、ＧＵＩ画像データ１０ｄ１は、後述する種々のＧＵＩ画像を表示するための情報である。シミュレーションプログラム１０ｄ２は、ＧＵＩ画像を介して入力された情報に基づいて、音響環境の特性をシミュレーションするプログラムである。助言情報１０ｄ３は、シミュレーションに基づいて算出された音響環境を改善するための情報である。ｗｅｂ情報１０ｄ４は、音響環境を改善するための家具または吸音材を提供するｗｅｂサイトに関する情報（例えば、ＵＲＬ（Uniform Resource Locator））である。
【００３２】
ビデオ回路１０ｅは、ＣＰＵ１０ａから供給された描画コマンドに応じた描画処理を実行し、描画処理の結果として得られた画像を映像信号に変換して表示装置１０ｈへ出力する。
【００３３】
受信手段としてのＩ／Ｆ１０ｆは、入力装置１０ｉからの出力される信号の表現形式を変換して入力するとともに、インターネット２０との間で情報をパケット化してやり取りする。バス１０ｇは、ＣＰＵ１０ａ、ＲＯＭ１０ｂ、ＲＡＭ１０ｃ、ＨＤＤ１０ｄ、ビデオ回路１０ｅ、およびＩ／Ｆ１０ｆを相互に接続し、これらの間で情報の授受を可能とするための信号線群である。表示装置１０ｈは、ビデオ回路１０ｅから出力される映像信号を表示するための装置であり、例えば、ＣＲＴ（Cathode Ray Tube）モニタ等によって構成されている。
【００３４】
図１に戻って、サーバ装置１１は、例えば、家具または吸音材を製造または販売する事業者に管理され、家具または吸音材の情報を記憶しており、サーバ装置１０にアクセスしたクライアント装置にその情報を提供する。なお、このサーバ装置１１に関する情報は、ｗｅｂ情報１０ｄ４としてサーバ装置１０に格納されている。
【００３５】
サーバ装置１２は、例えば、銀行またはクレジットカード会社が管理しており、ユーザがサーバ装置１１にアクセスして、家具または吸音材等を購入する際に、代金の支払いに関する処理を実行する。
【００３６】
インターネット２０は、複数のコンピュータ同士が接続された地球規模のネットワークであり、情報をパケット化して伝送する。
【００３７】
クライアント装置３０は、ユーザが有する、例えば、パーソナルコンピュータによって構成され、視聴装置を購入したユーザがサーバ装置１０にアクセスし、音響環境を改善するための情報をダウンロードする場合に使用される。
【００３８】
図３は、クライアント装置３０の詳細な構成例を示す図である。この図に示すように、クライアント装置３０は、ＣＰＵ３０ａ、ＲＯＭ３０ｂ、ＲＡＭ３０ｃ、ＨＤＤ３０ｄ、ビデオ回路３０ｅ、送信手段としてのＩ／Ｆ３０ｆ、バス３０ｇ、表示装置３０ｈ、および、第１の入力手段、第２の入力手段、第３の入力手段としての入力装置３０ｉによって構成されている。なお、クライアント装置３０の構成は、図２に示すサーバ装置１０と略同一であるので、各部の詳細な説明は省略する。
【００３９】
つぎに、本発明の第１の実施の形態の動作について説明する。
【００４０】
図４は、図１に示す第１の実施の形態におけるサーバ装置１０の動作を説明するためのフローチャートである。このフローチャートの処理は、視聴装置を購入したユーザがクライアント装置３０を操作して、サーバ装置１０にアクセスした場合において、サーバ装置１０で実行される処理である。なお、ユーザは、視聴装置を特定するための情報（例えば、製品の型番号）を入力するか、または、一覧表示された製品群から該当する製品を選択することにより、自己が使用している視聴装置に対応するページにアクセスする。
【００４１】
ステップＳ１０：ＣＰＵ１０ａは、ユーザの有する視聴装置に対応する情報をＨＤＤ１０ｄのＧＵＩ画像データ１０ｄ１から取得し、Ｉ／Ｆ１０ｆを介してクライアント装置３０へ送信する。その結果、クライアント装置３０では、ＣＰＵ３０ａがＩ／Ｆ３０ｆを介してこの情報を受信し、ビデオ回路３０ｅに供給する。ビデオ回路３０ｅは、ＣＰＵ３０ａから供給された情報に基づいて描画処理を実行し、得られた画像データを映像信号に変換して表示装置３０ｈに供給する。その結果、表示装置３０ｈには、図５に示すような、環境情報を入力するためのＧＵＩ画像が表示される。
【００４２】
この表示例では、ＧＵＩ画像を構成する枠５０内の最上部には、タイトル５１として「視聴室サポートシステム」が表示されている。その下には、ユーザが製品を購入したことに対する謝辞と、設問に答えるように促すメッセージ５２が表示されている。
【００４３】
その下には、設問１として、質問５３〜５６およびテキストボックス５７〜６０が表示されている。ここで、質問５３は、部屋の種類を問う質問であり、和室、洋室（カーペット有り）、洋室（カーペット無し）から選択する。質問５３の右隣のテキストボックス５７にはこれらの３つの選択肢から所望の肢に対応する数字が入力される。質問５４は、部屋の広さを問う質問であり、４．５畳、６畳、８畳、１０畳、１２畳、１５畳、２０畳から選択する。質問５４の右隣のテキストボックス５８にはこれらの７つの選択肢から所望の肢に対応する数字が入力される。
【００４４】
質問５５は、天井の高さを問う質問であり、２ｍ、２．３ｍ、２．５ｍ、２．７ｍ、３ｍ、３．５ｍ、および、４ｍから選択する。質問５５の右隣のテキストボックス５９にはこれらの７つの選択肢から所望の肢に対応する数字が入力される。質問５６は、窓の位置を問う質問であり、その下に表示されている９つのイラストから該当するものを選択する。なお、９つそれぞれのイラストにおいて、ハッチングが施されている部分が窓を示している。質問５６の右隣のテキストボックス６０にはこれらの９つの選択肢から所望の肢に対応する数字が入力される。
【００４５】
ステップＳ１１：ＣＰＵ１０ａは、図５に示すＧＵＩ画像において入力が終了したか否かを判定し、終了した場合にはステップＳ１２に進み、それ以外の場合には同様の処理を繰り返す。
【００４６】
ステップＳ１２：ＣＰＵ１０ａは、図５に示すＧＵＩ画像において入力された情報を取得し、シミュレーションプログラム１０ｄ２に基づいてシミュレーションを実行し、スピーカの最適な配置を決定する。なお、当該シミュレーションでは、図５に示す、部屋の種類、部屋の広さ、天井の高さ、および、窓の位置に関する情報の他に、ユーザが購入した視聴装置の種類が参照される。より詳細には、部屋の種類、広さ、天井の高さ、窓の位置等を参照して、定在波が発生する周波数帯域を計算するとともに、床材の材質に応じて振動の減衰率を計算し、部屋の音響特性を得る。
【００４７】
ステップＳ１３：ＣＰＵ１０ａは、ステップＳ１２におけるシミュレーションの結果に基づいて、助言情報１０ｄ３から対応する情報を取得し、クライアント装置３０にスピーカの配置を示す情報を呈示する。つまり、シミュレーションにより得られた音響特性に対して視聴装置の最適な配置を助言する助言情報が選択され、クライアント装置３０に送信される。クライアント装置３０は、その情報を受信し、表示装置３０ｈに表示する。図６は、このとき、クライアント装置３０の表示装置３０ｈに表示されるＧＵＩ画像の一例を示す図である。この例では、ＧＵＩ画像を構成する枠７０内の最上部にタイトル７１として「視聴室サポートシステム」が表示されている。その下には、設問３として下に示すイラスト７４と同様のスピーカ配置と、視聴位置の選択が可能か否かを入力するように促すメッセージ７２が表示されている。メッセージの右隣には、設問３に対する回答を入力するためのテキストボックス７３が表示されている。その下には、推奨されるスピーカの配置位置および視聴位置が表示されたイラスト７４が表示されている。
【００４８】
ステップＳ１４：ＣＰＵ１０ａは、図６に示すスピーカの配置と、視聴位置の選択が可能であると入力されたか否かを判定し、可能と入力された場合にはステップＳ１７に進み、それ以外の場合にはステップＳ１５に進む。例えば、図６に示すように、テキストボックス７３に不可能と入力された場合にはステップＳ１５に進む。
【００４９】
ステップＳ１５：ＣＰＵ１０ａは、助言情報１０ｄ３を参照し、図５において入力された部屋の種類、部屋の広さ、天井の高さ、および、窓の位置を参照して最適なスピーカの配置および視聴位置（ただし、ステップＳ１３において呈示されたスピーカの配置および視聴位置を除く）を決定し、クライアント装置３０に送信して表示させる。図７は、このときクライアント装置３０の表示装置３０ｈに表示される情報の一例を示す図である。
【００５０】
この表示例では、ＧＵＩ画像を構成する枠８０内の最上部に、タイトル８１として「視聴サポートシステム」が表示されている。また、その下には、ユーザの部屋におけるスピーカの配置可能位置を入力するように促すメッセージ８２が表示され、その右隣には選択した数字を入力するためのテキストボックス８３が表示されている。その下には、スピーカの配置位置を示す４つのイラスト８４が表示されている。このようなＧＵＩ画像において、例えば、テキストボックス８３に数字“２”が入力された場合には第２番目の配置状態が選択されたことを示す情報がＣＰＵ１０ａによって取得される。
【００５１】
ステップＳ１６：ＣＰＵ１０ａは、シミュレーションプログラム１０ｄ２に基づき、図７において選択された配置状態に応じてシミュレーションを実行する。なお、このシミュレーションは、ステップＳ１２の場合と同様である。
【００５２】
ステップＳ１７：ＣＰＵ１０ａは、ステップＳ１２におけるシミュレーションまたはステップＳ１６におけるシミュレーションの結果に基づいて、予想される音の傾向をクライアント装置３０に表示させる。図８は、このとき、クライアント装置３０に表示される音の傾向を示すグラフの一例を示す図である。この図において、横軸は周波数を示し、縦軸はゲインを示しており、各周波数における視聴位置における音圧特性を示している。この例では、５０Ｈｚ〜５ｋＨｚの範囲の特性が示されているが、２ｋＨｚ以上の特性は、計算の精度が余り高くなく、また、計算の時間を要することから、２ｋＨｚ以下に限定して計算するようにしてもよい。その場合には、短時間に精度良い結果を得ることができる。
【００５３】
図８に示すグラフの他に、音の傾向を、例えば、文章で表示するようにしてもよい。例えば、「低域は重低音まで充分に再生可能と思われます。中域は、周波数特性のあばれが多少ありますので、ボーカルが少し不鮮明になる可能性があります。高域は、窓からの音の反射がありますので、位相ズレが発生する可能性があります。ＪＡＺＺの再生に向いていると考えられます。」のような文章を表示することができる。
【００５４】
ステップＳ１８：ＣＰＵ１０ａは、クライアント装置３０に対して、ステップＳ１７において表示された音の傾向を了承するか否か、すなわち、そのような音の傾向で満足するか否かを確認し、了承しない場合にはステップＳ１９に進み、それ以外の場合には処理を終了する。
【００５５】
ステップＳ１９：ＣＰＵ１０ａは、ＨＤＤ１０ｄに格納されているＧＵＩ画像データ１０ｄ１から所定の情報を読み出し、Ｉ／Ｆ１０ｆを介してクライアント装置３０に送信し、音の理想的な傾向を入力するためのＧＵＩ画像をクライアント装置３０の表示装置３０ｈに表示させる。
【００５６】
図９は、このとき、クライアント装置３０の表示装置３０ｈに表示されるＧＵＩ画像の一例を示す図である。この表示例では、ＧＵＩ画像を構成する枠９０内の最上部にタイトルとして「視聴室サポートシステム」が表示されている。その下には、音の傾向に関する質問９２〜９６が表示され、それぞれの質問の右隣には、各質問の選択肢に関する数字を入力するためのテキストボックス９７〜１０１が表示されている。
【００５７】
具体的には、質問９２では、低音における欲しい音の傾向が「おおらか」および「しまった」から選択される。質問９３では、ボーカルの音の傾向が「前面に張り出す」および「全体にとけ込む」から選択される。質問９４では、好きな音楽のジャンルが「ＪＡＺＺ」、「クラシック」、「ポップス」、「ラップ」、「レゲエ」、「歌謡曲」、「イージーリスニング」、および「浪曲」から選択される。質問９５では、好きな映画のジャンルが「アクション」、「スリラー」、「ロマンス」、および、「コメディー」から選択される。質問９６では、通常の設定音量が「大きい」、「中くらい」、および「小さい」から選択される。
【００５８】
ステップＳ２０：ＣＰＵ１０ａは、クライアント装置３０において図９に示すＧＵＩ画像に対する入力が終了したか否かを判定し、終了した場合にはステップＳ２１に進み、それ以外の場合には同様の処理を繰り返す。
【００５９】
ステップＳ２１：ＣＰＵ１０ａは、図９に示すＧＵＩ画像において入力された情報に基づいて、家具、防音材に関する助言を行う助言情報１０ｄ３から所定の情報を読み出し、クライアント装置３０に送信する。クライアント装置３０は、その助言情報１０ｄ３を受信すると、表示装置３０ｈに表示する。ここで、家具とは、ソファー、ベッド、リビングボード、置物、カーテン等をいう。また、防音材とは、音の吸音特性が高い素材によって構成され、視聴室の音の反射を防ぎたい場所に設置するものをいう。
【００６０】
具体的には、例えば、図９において、低音の音の傾向について「おおらか」が選択された場合にはフラットな低域特性とするための助言が選択される。また、「しまった」が選択された場合には、８０Ｈｚ程度が強調されるような助言が選択される。中音の音の傾向について「ふくよか」が選択された場合には５００Ｈｚが強調された特性とするための助言が選択される。また、「透き通った」が選択された場合には、５ｋＨｚ〜８ｋＨｚが強調されるような助言が選択される。ボーカルの音の傾向について「前面に張り出す」が選択された場合には中音域が強調された特性となる助言が選択される。また、「全体にとけ込む」が選択された場合には、全体的にフラットな特性となるような助言が選択される。好きな音楽として、例えば、「ＪＡＺＺ」が選択された場合には、低音域と高音域が強調された特性となるような助言が選択される。「クラッシック」が選択された場合には、全体的にフラットな特性となるような助言が選択される。「ポップス」が選択された場合には、ボーカルの帯域である中音域が強調された特性となる助言が選択される。また、好きな映画において、「アクション」または「スリラー」が選択された場合にはより迫力のある音声となるために低音域が強調された特性となるための助言が選択される。「ロマンス」または「コメディー」が選択された場合には、ボーカルの帯域である中音域が強調されるような助言が選択される。また、音量については、選択された音量に応じた防音のための助言が選択される。
【００６１】
なお、それぞれの家具については、大きさと吸音性能を予め登録してあり、どの周波数帯域の音をどの程度減衰できるかを考慮して、部屋への配置位置を決定し、助言として表示する。
【００６２】
図１０は、このとき、クライアント装置３０の表示装置３０ｈに表示されるＧＵＩ画像の一例を示す図である。この表示例では、ＧＵＩ画像を構成する枠１２０内の最上部には、タイトル１２１として「視聴室サポートシステム」が表示されている。また、その下には、メッセージ１２２として「お客様の視聴室の改善点」が表示されている。その下には、改善点を示すイラスト１２３が表示されている。最下部には、改善点を説明するメッセージ１２４が表示されている。具体的には、この表示例では、窓からの音の反射を防ぐために、窓に遮音カーテンを配置することにより、ボーカルが前面に張り出すことが助言されている。なお、メッセージ１２４を構成する文字列「遮音カーテン」には下線が付されており、この部分にリンクが張られていることが示されている。なお、リンクを張るための情報は、ｗｅｂ情報１０ｄ４に格納されている情報を利用する。
【００６３】
ステップＳ２２：ＣＰＵ１０ａは、図１０に示すＧＵＩ画像において、呈示された家具、防音材等に関する情報を、ユーザが入力装置３０ｉを操作して選択したか否かを判定し、選択した場合にはステップＳ２３に進み、それ以外の場合には処理を終了する。具体的には、図１０に示す入力装置３０ｉが操作され、下線が付された文字列「遮音カーテン」が指定された場合には、ステップＳ２３に進む。
【００６４】
なお、ステップＳ２２の処理については、サーバ装置１０ではなく、クライアント装置３０のＣＰＵ３０ａが判断するようにしてもよい。
【００６５】
ステップＳ２３：図１０に示す下線が付された文字列「遮音カーテン」のリンク先であるサーバ装置１１のＣＰＵ１１ａ（図示せず）は、図示せぬＨＤＤ１１ｄから所定の情報を読み出し、図示せぬＩ／Ｆ１１ｆを介してクライアント装置３０に送る。その結果、クライアント装置３０には、図１１に示すようなＧＵＩ画像（ｗｅｂページの情報）が表示される。
【００６６】
この表示例では、ＧＵＩ画像を構成する枠１３０内の最上部には、タイトル１３１として「視聴室サポートシステム」が表示されている。また、その下には、メッセージ１３２として「お客様のシステムにマッチする遮音カーテン」が表示されている。その下には、６種類の遮音カーテンを示す画像群１３３が表示されている。なお、図１１に示す遮音カーテンの種類は、つぎの点を考慮して選択される。すなわち、まず、図９において入力された理想の音の傾向に基づいて計算された遮音性能（周波数特性および減衰特性）を有する遮音カーテンである必要がある。また、ユーザが購入した視聴装置との間でデザイン上の統一性がある遮音カーテンである必要がある。図１１では、これらの条件を満足する遮音カーテンが選択されて候補として表示されている。
【００６７】
ステップＳ２４：ＣＰＵ１１ａは、図１１に示すＧＵＩ画像において所定の商品を購入する操作がなされたか否かを判定し、なされた場合にはステップＳ２５に進み、それ以外の場合には処理を終了する。
【００６８】
ステップＳ２５：図１１に示すＧＵＩ画像において、購入手続きがなされた場合には、まず、発送先等を指定する処理がサーバ装置１１との間で行われた後、銀行またはクレジットカード会社が管理するサーバ装置１２との間で、代金の支払いに関する処理が実行される。その結果、商品の購入処理が完了する。
【００６９】
以上に説明したように、本発明の第１の実施の形態によれば、ユーザが購入した製品に関する情報と、当該製品が設置される部屋の音響特性に関する情報を入力し、これらに適合する助言を呈示するようにしたので、個々のユーザの環境に適合した助言を与えることが可能になる。
【００７０】
また、第１の実施の形態では、部屋の形状、スピーカの設置位置、および、視聴位置に関する情報を、図５に示すようなＧＵＩ画像において、複数の候補の中から選択するようにしたので、音響特性に関する情報をユーザが簡易に入力することが可能になる。
【００７１】
また、第１の実施の形態では、音響特性を改善するための情報として、スピーカの設置位置および視聴位置を呈示するようにしたので、それぞれの部屋に応じた最適なスピーカの配置と視聴位置を知ることが可能になる。ところで、以上の実施の形態では、視聴装置が２チャンネルのシステムの場合を例に挙げて説明したが、例えば、５．１チャンネルのシステムのように、３以上のスピーカを使用する場合にも本発明を適用することができる。その場合には、多数のスピーカの最適な位置を知ることができるので、さらに好適である。
【００７２】
また、第１の実施の形態では、音響特性を改善するための情報として、家具または防音材に関する情報も呈示するようにしたので、スピーカの配置位置や視聴位置だけでは改善できない問題についても対応することができる。さらに、視聴装置とのデザイン上のマッチングも考慮して、家具または防音材を呈示するようにしたので、視覚的にも満足できる音響環境を整えることが可能になる。さらにまた、気に入った家具または防音材が存在した場合には、直ちに購入できるようにしたので、ユーザのニーズを満足できるとともに、関連する業者の売り上げに貢献することが可能になる。なお、以上の実施の形態では、家具または防音材を販売する業者のｗｅｂサイトにリンクするだけの構成としたが、リンクを辿って商品の購入がなされた場合には、利益の一部を視聴装置の販売・製造業者に還元するようにしてもよい。
【００７３】
また、第１の実施の形態では、図９に示すようなＧＵＩ画像において、ユーザの好みの音の傾向、良く聞く音楽のジャンル等を入力し、入力されたこれらの情報に基づいて、音響環境を改善する情報を呈示するようにしたので、個々のユーザの好みを反映した助言を行うことが可能になる。
【００７４】
つぎに、本発明の第２の実施の形態について説明する。
【００７５】
図１２は、本発明の第２の実施の形態に係る情報処理システムの構成例を示すブロック図である。なお、この図において、図１と対応する部分には、同一の符号を付してあるので、その説明は省略する。この例では、図１の場合と比較して、サーバ装置１０がサーバ装置１５０に置換され、クライアント装置３０に視聴装置１６０が接続されている。その他の構成は、図１の場合と同様である。
【００７６】
図１３は、サーバ装置１５０の構成例を示す図である。この図に示すように、サーバ装置１５０は、特定手段、呈示手段、供給手段、および、測定手段としてのＣＰＵ１５０ａ、ＲＯＭ１５０ｂ、ＲＡＭ１５０ｃ、記憶手段としてのＨＤＤ１５０ｄ、ビデオ回路１５０ｅ、受信手段としてのＩ／Ｆ１５０ｆ、バス１５０ｇ、表示装置１５０ｈ、および、入力装置１５０ｉによって構成されている。
【００７７】
なお、図２に示す場合と比較すると、この例では、ＨＤＤ１５０ｄに格納されている情報の一部が異なっている。すなわち、ＨＤＤ１５０ｄには、ＧＵＩ画像データ１５０ｄ１、測定用データ１５０ｄ２、設定用データ１５０ｄ３、助言情報１５０ｄ４、および、ｗｅｂ情報１５０ｄ５が格納されている。ここで、ＧＵＩ画像データ１５０ｄ１は、ＧＵＩ画像を表示するための情報である。測定用データ１５０ｄ２は、視聴室の音響特性を測定するためのデータである。設定用データ１５０ｄ３は、視聴室の測定結果に基づいて、イコライザの設定等を行うためのデータである。助言情報１５０ｄ４は、視聴室の音響特性を改善するための助言に関する情報である。ｗｅｂ情報１５０ｄ５は、音響特性を改善するための家具または吸音材を扱うｗｅｂサイトに関する情報である。
【００７８】
図１４は、視聴装置１６０の構成例を示す図である。この図に示すように、視聴装置１６０は、ＣＰＵ１６０ａ、ＲＯＭ１６０ｂ、ＲＡＭ１６０ｃ、制御部１６０ｄ、バス１６０ｅ、Ｉ／Ｆ１６０ｆ、アンプ部１６０ｇ、入力装置１６０ｉ、および、マイクロフォン１６０ｊによって構成されている。
【００７９】
ここで、ＣＰＵ１６０ａは、ＲＯＭ１６０ｂに格納されている情報に基づいて各種処理を実行する演算装置である。ＲＯＭ１６０ｂは、ＣＰＵ１６０ａが実行する基本的なプログラムを格納している半導体記憶装置である。ＲＡＭ１６０ｂは、ＣＰＵ１６０ａが各種演算処理を実行する際に、データやプログラムを一時的に格納する半導体記憶装置である。制御部１６０ｄは、ＣＰＵ１６０ａの制御に基づいて、アンプ部１６０ｇを制御する。アンプ部１６０ｇは、例えば、各種音源（例えば、ＣＤ(Compact Disk)等）からの音声信号に対してイコライザ処理を施すとともに、所定のゲインで増幅して図示せぬスピーカに供給する。
【００８０】
バス１６０ｅは、ＣＰＵ１６０ａ、ＲＯＭ１６０ｂ、ＲＡＭ１６０ｃ、制御部１６０ｄ、およびＩ／Ｆ１６０ｆを相互に接続し、これらの間で情報の授受を可能とする信号線群である。Ｉ／Ｆ１６０ｆは、入力装置１６０ｉから出力された情報の表現形式を変換してバス１６０ｅに送出するとともに、クライアント装置３０との間で情報を授受する際に、表現形式を変換する。また、マイクロフォン１６０ｊから出力されたアナログ信号をディジタル信号に変換して入力する。具体的には、クライアント装置３０と視聴装置１６０とは、例えば、ＵＳＢ（Universal Serial Bus）等によって接続されている。マイクロフォン１６０ｊは、音響特性を測定する際に、音声を電気信号に変換するための装置である。
【００８１】
つぎに、本発明の第２の実施の形態の動作について説明する。
【００８２】
図１５は、本発明の第２の実施の形態の動作を説明するためのフローチャートである。この図に示すフローチャートの処理が開始されると、以下のステップが実行される。
【００８３】
ステップＳ５０：クライアント装置３０からのアクセスを受けたサーバ装置１５０のＣＰＵ１５０ａは、ＨＤＤ１５０ｄのＧＵＩ画像データ１５０ｄ１から所定の情報を読み出し、Ｉ／Ｆ１５０ｆを介してクライアント装置３０に送信する。その結果、クライアント装置３０の表示装置３０ｈには、図５に示すものと同様のＧＵＩ画像が表示される。
【００８４】
ステップＳ５１：ＣＰＵ１５０ａは、ＧＵＩ画像に対する情報の入力が終了したか否かを判定し、終了した場合にはステップＳ５２に進み、それ以外の場合には同様の処理を繰り返す。
【００８５】
ステップＳ５２：測定手段としてのＣＰＵ１５０ａは、ＨＤＤ１５０ｄから測定用データ１５０ｄ２を読み出し、Ｉ／Ｆ１５０ｆを介してクライアント装置３０に送信する。クライアント装置３０では、ＣＰＵ３０ａがこの情報を、出力手段、変換手段としてのＩ／Ｆ３０ｆを介して受信し、Ｉ／Ｆ３０ｆを介して視聴装置１６０に供給する。視聴装置１６０は、この情報をＩ／Ｆ１６０ｆを介して受け取る。ＣＰＵ１６０ａは、この情報に基づいて、制御部１６０ｄを制御し、アンプ部１６０ｇに対して音響特性を測定するための信号を出力し、マイクロフォン１６０ｊから入力される情報を解析することにより、音響特性を測定する。なお、マイクロフォン１６０ｊは、例えば、視聴ポイントに設置されており、ユーザの耳の位置における音を集音して電気信号に変換する。
【００８６】
なお、測定方法としては、例えば、ピンクノイズを発生するためのデータを視聴装置１６０に対して供給し、マイクロフォン１６０ｊからの音声信号をディジタルデータに変換して（必要に応じて圧縮して）サーバ装置１５０に対して送信する。サーバ装置１５０では、受信した音声データに対してオクターブバンドパスフィルタをかけ、得られた出力信号レベルから周波数特性を測定する。また、単発のパルス信号を視聴装置１６０に供給し、マイクロフォン１６０ｊからの音声信号をディジタルデータに変換してサーバ装置１５０に送信する。サーバ装置１５０では、パルスの位相のずれおよび反射波を測定することにより、マルチチャンネルスピーカの位相の調整やマルチパス歪みの有無について測定する。
【００８７】
ステップＳ５３：ＣＰＵ１５０ａは、クライアント装置３０に対して測定結果のデータを送信し、表示装置３０ｈに表示させる。その結果、クライアント装置３０の表示装置３０ｈには、図８に示すようなグラフが表示される。なお、これ以外に位相ずれに関するグラフを表示するようにしてもよい。
【００８８】
ステップＳ５４：ＣＰＵ１５０ａは、ステップＳ５２における音響特性の測定結果を参照し、設定用データ１５０ｄ３に基づいて、視聴装置１６０の特性を自動的に設定する処理を実行する。具体的には、ＣＰＵ１５０ａは、周波数特性の測定結果を参照し、特定の周波数帯域に山や谷が存在する場合には、クライアント装置３０を介して視聴装置１６０に制御信号を供給し、制御部１６０ｄによりアンプ部１６０ｇが有するイコライザを調整する。これにより、山に該当する周波数のゲインを低下させ、谷に該当する部分の周波数のゲインが増加される。また、パルス応答については、制御部１６０ｄがアンプ部１６０ｇが有する遅延回路の遅延量を設定することにより、例えば、マルチチャンネルの場合の各スピーカ間の位相差を修正することが可能になる。
【００８９】
ステップＳ５５：ＣＰＵ１５０ａは、所定の音楽データまたは環境音データ（例えば、人の声、雨の音、川のせせらぎ等の音データ）等をクライアント装置３０に対して送信する。クライアント装置３０では、受信したこれらのデータを視聴装置１６０に供給して再生させる。その結果、ユーザは調整後の視聴装置１６０により視聴することができる。
【００９０】
ステップＳ５６：ＣＰＵ１５０ａは、ユーザが視聴結果を了承したか否かを判定し、了承した場合には処理を終了し、それ以外の場合にはステップＳ５７に進む。例えば、ＣＰＵ１５０ａは、ＧＵＩ画像データ１５０ｄ１から所定の情報を読み出し、クライアント装置３０の表示装置３０ｈに対して了承したか否かを確認するためのＧＵＩ画像（図示せず）を表示させ、了承したか否かを確認する。
【００９１】
ステップＳ５７：ＣＰＵ１５０ａは、図９に示すようなＧＵＩ画像をクライアント装置３０の表示装置３０ｈに表示させる。
【００９２】
ステップＳ５８：ＣＰＵ１５０ａは、図９に示すＧＵＩ画像において、入力が完了したか否かを判定し、終了したと判定した場合にはステップＳ５９に進み、それ以外の場合には同様の処理を繰り返す。
【００９３】
ステップＳ５９：ＣＰＵ１５０ａは、図９に示すＧＵＩ画像において入力された音の好みの傾向と、ステップＳ５０において入力された情報と、ステップＳ５２における音響特性の測定結果を参照し、設定用データ１５０ｄ３に基づいて、好みの特性となるようにクライアント装置３０を介して視聴装置１６０の設定を行う。具体的には、前述したように、ＪＡＺＺを好んで聞く場合には、低域と高域のゲインを高めに設定する。クラッシックの場合には全体の特性がフラットとなるように調整する。
【００９４】
ステップＳ６０：ＣＰＵ１５０ａは、所定の音楽データまたは環境音データ等をクライアント装置３０に対して送信する。クライアント装置３０では、受信したこれらのデータを視聴装置１６０に供給して再生させる。その結果、ユーザは、周波数特性や位相特性が適正に調整された視聴装置１６０により音楽または映像を視聴することができる。
【００９５】
ステップＳ６１：ＣＰＵ１５０ａは、ステップＳ５６の場合と同様に、ユーザが視聴結果（調整結果）に了承したか否かを判定し、了承した場合には処理を終了し、それ以外の場合にはステップＳ６２に進む。
【００９６】
ステップＳ６２：ＣＰＵ１５０ａは、助言情報１５０ｄ４から所定の情報を読み出し、図１０に示すようなＧＵＩ画像をクライアント装置３０の表示装置３０ｈに表示させ、家具または防音材等に関する助言を行う。
【００９７】
ステップＳ６３：ＣＰＵ１５０ａは、図１０に示すＧＵＩ画像において、例えば、下線が付された文字列「遮音カーテン」が操作された場合には、ステップＳ６４に進む。なお、「遮音カーテン」に対応するリンクを張る場合は、ｗｅｂ情報１５０ｄ５に格納されている情報を利用する。
【００９８】
なお、前述の場合と同様に、ステップＳ６３の処理については、サーバ装置１５０ではなく、クライアント装置３０のＣＰＵ３０ａが判断するようにしてもよい。
【００９９】
ステップＳ６４：図１０に示す下線が付された文字列「遮音カーテン」のリンク先であるサーバ装置１１のＣＰＵ１１ａ（図示せず）は、図示せぬＨＤＤ１１ｄから所定の情報を読み出し、図示せぬＩ／Ｆ１１ｆを介してクライアント装置３０に送る。その結果、クライアント装置３０には、図１１に示すようなＧＵＩ画像が表示される。
【０１００】
ステップＳ６５：ＣＰＵ１１ａは、図１１に示すＧＵＩ画像において所定の商品を購入する操作がなされたか否かを判定し、なされた場合にはステップＳ６６に進み、それ以外の場合には処理を終了する。
【０１０１】
ステップＳ６６：図１１に示すＧＵＩ画像において、購入手続きがなされた場合には、まず、発送先等を指定する処理がサーバ装置１１との間で行われた後、銀行またはクレジットカード会社が管理するサーバ装置１２との間で、代金の支払いに関する処理が実行される。
【０１０２】
以上に説明したように、本発明の第２の実施の形態によれば、サーバ装置１５０から供給された測定用の音声データを用いて、視聴室の音響特性を実際に測定し、その結果に基づいて音響特性を改善するようにしたので、視聴室の音響特性をより正確に改善することが可能になる。
【０１０３】
また、以上の第２の実施の形態では、音響特性の測定結果に基づいて、アンプ部１６０ｇを制御して、周波数特性および位相特性を補正するようにしたので、ユーザの負担を増加することなく、視聴室およびユーザの好みにあった設定を行うことが可能になる。
【０１０４】
また、以上の第２の実施の形態では、音響特性の測定結果に基づいて、家具および防音材に関する助言を行うようにしたので、さらに詳細かつ的確な助言を行うことが可能になる。
【０１０５】
なお、上述の各実施の形態は、本発明の好適な例であるが、本発明は、これらに限定されるものではなく、本発明の要旨を逸脱しない範囲において、種々の変形、変更が可能である。
【０１０６】
例えば、上述の各実施の形態では、２チャンネルの視聴装置を例に挙げて説明を行ったが、例えば、３つ以上のスピーカを空間的に異なる場所に配置するいわゆるマルチチャンネルシステムに本発明を適用することも可能である。そのような実施の形態によれば、複数のスピーカを最適な場所に配置するとともに、最適な視聴ポイントを知ることが可能になる。
【０１０７】
また、以上の各実施の形態では、家具および防音材に関する情報を呈示するようにしたが、これ以外にも、例えば、ユーザが購入したものよりさらにグレードの高い製品を紹介したり、新製品の紹介をしたり、アクセサリー類（例えば、スピーカ台等）を紹介したり、オプション（例えば、重低音用のスーパーウーファー等）を紹介するようにしてもよい。
【０１０８】
また、図４のステップＳ１９または図１５のステップＳ５７において入力された理想的な音の傾向をサーバ装置１０，１５０のＨＤＤ１０ｄ，１５０ｄに保存し、ユーザの好みを探るための情報として、つぎの製品開発に役立てるようにしてもよい。
【０１０９】
また、サーバ装置１０，１５０により、ユーザからの苦情を受け付け、必要に応じて所轄部署に当該苦情を転送して、対応をするようにしてもよい。
【０１１０】
また、以上の各実施の形態では、クライアント装置３０において、種々の情報の入力を行い、サーバ装置１０，１５０において、当該情報を処理し、クライアント装置３０の表示装置３０ｈに表示させるようにしたが、当該処理に係るプログラムを、クライアント装置３０に予めダウンロードしておき、クライアント装置３０ですべての処理を実行するようにしてもよい。
【０１１１】
なお、上記の処理機能は、例えば、図２、図１３に示すようなコンピュータによって実現される。その場合、情報処理装置が有すべき機能の処理内容を記述したプログラムが提供される。そのプログラムをコンピュータで実行することにより、処理機能がコンピュータ上で実現される。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ、ＤＶＤ−ＲＡＭ（Random Access Memory）、ＣＤ−ＲＯＭ（Read Only Memory）、ＣＤ−Ｒ（Recordable）／ＲＷ（Rewritable）などがある。光磁気記録媒体には、ＭＯ（Magneto-Optical disk）などがある。
【０１１２】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１１３】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【産業上の利用可能性】
【０１１４】
本発明は、音響環境の改善を図るための情報処理装置に利用することができる。
【図面の簡単な説明】
【０１１５】
【図１】本発明の第１の実施の形態に係る情報処理装置を含む情報処理装置を含む音響環境改善システムの構成例を示すブロック図である。
【図２】図１に示す実施の形態のサーバ装置の構成例を示すブロック図である。
【図３】図１に示す実施の形態のクライアント装置の構成例を示すブロック図である。
【図４】図１に示す実施の形態の動作を説明するためのフローチャートである。
【図５】環境情報を入力するためのＧＵＩ画像の表示例である。
【図６】スピーカの配置に関する情報を呈示するＧＵＩ画像の表示例である。
【図７】スピーカの配置可能位置と視聴可能位置を入力するためのＧＵＩ画像の表示例である。
【図８】図４に示すフローチャートの処理の結果として得られた視聴室の音響特性の一例を示す図である。
【図９】好みの音の傾向を入力するためのＧＵＩ画像の表示例を示す図である。
【図１０】家具または防音材に関する助言を表示するためのＧＵＩ画像の表示例を示す図である。
【図１１】図１０に示す下線が付された文字列が操作された場合に表示されるＧＵＩ画像の表示例である。
【図１２】本発明の第２の実施の形態に係る情報処理装置を含む情報処理装置を含む音響環境改善システムの構成例を示すブロック図である。
【図１３】図１２に示すサーバ装置の構成例を示す図である。
【図１４】図１２に示す視聴装置の構成例を示す図である。
【図１５】図１２に示す第２の実施の形態の動作を説明するためのフローチャートである。
【符号の説明】
【０１１６】
１０ａ  ＣＰＵ（特定手段、呈示手段、供給手段、計算手段）
１０ｄ  ＨＤＤ（記憶手段）
１０ｆ  Ｉ／Ｆ（受信手段）
３０ｆ  Ｉ／Ｆ（送信手段、出力手段、入力手段）
３０ｉ  入力装置（第１の入力手段、第２の入力手段、第３の入力手段）
１５０ａ  ＣＰＵ（特定手段、呈示手段、供給手段、測定手段）
１５０ｄ  ＨＤＤ（記憶手段）
１５０ｆ  Ｉ／Ｆ（受信手段）
【図１】
2005321661.tif 000003
【図２】
2005321661.tif 000004
【図３】
2005321661.tif 000005
【図４】
2005321661.tif 000006
【図５】
2005321661.tif 000007
【図６】
2005321661.tif 000008
【図７】
2005321661.tif 000009
【図８】
2005321661.tif 000010
【図９】
2005321661.tif 000011
【図１０】
2005321661.tif 000012
【図１１】
2005321661.tif 000013
【図１２】
2005321661.tif 000014
【図１３】
2005321661.tif 000015
【図１４】
2005321661.tif 000016
【図１５】
2005321661.tif 000017